(57)【要約】【課題】増幅光伝送システム内のパワーの過渡変化を制御するための方法、装置およびシステムを提供すること。【解決手段】この方法、装置およびシステムは、光学信号のパワーの過渡変化の検出に応答して、増幅器の利得変化に付随する利得応答の時間遅延を補正するように少なくとも１つの増幅器の利得を変化させる工程を含む。場合によっては、この方法、装置およびシステムはさらに、パワーの過渡変化の検出に応答して、信号パワーの変化を補正するように少なくとも１つの増幅器の利得を調節する工程を含む。【選択図】図２
2004310119.tif 000002
【特許請求の範囲】
【請求項１】
増幅光伝送システム内の光学信号のパワーの過渡変化の検出に応答して、前記光伝送システムの増幅器の利得変化に付随する利得応答の時間遅延を補正するために少なくとも１つの増幅器の利得を変化させる工程を含む方法。
【請求項２】
パワーの過渡変化の検出に応答して、前記光伝送システムの信号パワーの変化を補正するために少なくとも１つの増幅器の利得を調節する工程をさらに含む、請求項１に記載の方法。
【請求項３】
時間遅延に付随する前記利得変化が、パワーの過渡変化に起因する信号パワーの変化を補正するために前記少なくとも１つの増幅器の利得を調節することによって引き起こされ、したがって調節された少なくとも１つの増幅器の利得応答の時間遅延を補正するように少なくとも１つの増幅器の利得が変化させられる、請求項２に記載の方法。
【請求項４】
前記少なくとも１つの増幅器が少なくとも１つのドープ・ファイバ増幅器を含む、請求項１に記載の方法。
【請求項５】
前記少なくとも１つのドープされたファイバの増幅器が二段エルビウム・ドープ・ファイバ増幅器（ＥＤＦＡ）を含む、請求項４に記載の方法。
【請求項６】
パワーの過渡変化の検出に応答して、前記二段ＥＤＦＡの第１の段の利得が前記光伝送システムの信号パワーの変化を補正するように調節され、かつ前記二段ＥＤＦＡの第２の段の利得が前記第１の段の利得変化に付随する利得応答の時間遅延を補正するように変化させられる、請求項５に記載の方法。
【請求項７】
プログラム命令を記憶するためのメモリと前記命令を実行するためのプロセッサを含む装置であって、
増幅光伝送システム内の光学信号のパワーの過渡変化の検出に応答して、増幅器の利得変化に付随する利得応答の時間遅延を補正するために少なくとも１つの増幅器の利得を変化させるように構成された装置。
【請求項８】
さらに、パワーの過渡変化の検出に応答して少なくとも１つの増幅器の利得を調節することで信号パワーの変化を補正するように構成された、請求項７に記載の装置。
【請求項９】
増幅光伝送システムであって、
伝播光学信号を増幅するための少なくとも１つの増幅器、
前記少なくとも１つの増幅器をポンピングするための少なくとも１つの対応するポンプ、
光学的特性を計測するために前記伝播光学信号の一部を引き出すための少なくとも１つの光学タップ、
前記タップに由来する前記伝播光学信号の前記部分の光学的特性を計測するための少なくとも１つのモニタ、および
前記ポンプへのパワーを調節するための少なくとも１つのポンプ制御器を含み、前記ポンプ制御器が、前記計測光学特性、プログラム命令を記憶するためのメモリ、および前記命令を実行するためのプロセッサを含み、それによって
前記増幅光伝送システムの光学信号のパワーの過渡変化の検出に応答して前記少なくとも１つの増幅器の利得を変化させることにより、前記増幅光伝送システムの増幅器の利得変化に付随する利得応答の時間遅延を補正するように前記少なくとも１つの増幅器の利得を変化させる工程を実行するポンプ制御器を構成するシステム。
【請求項１０】
前記少なくとも増幅器が少なくとも１つのエルビウム・ドープ・ファイバ増幅器（ＥＤＦＡ）を含む、請求項９に記載の増幅光伝送システム。
【発明の詳細な説明】
【技術分野】
【０００１】
本発明は、光学的通信システムに関し、さらに特定すると過渡変化制御能力を備えたラマン増幅型光伝送システムに関する。
【背景技術】
【０００２】
本特許出願は２００２年１１月１２日に出願し、ここに参考資料でその全文を組み入れる米国特許出願番号第１０／２９３，７５４号の恩典を権利主張するものである。本特許出願は２００２年１１月１２日に出願した米国特許出願番号第１０／２９３，７５４号の一部継続出願である。
【０００３】
光ネットワークでは、１本のファイバ上の多数の通信チャネルをサポートするために多数の光波長が使用される。何キロメートルにも及ぶ光ファイバのリンクにわたって減衰を受けた光信号を増幅するためにそのようなネットワークでは光増幅器範囲が使用される。通常の増幅器範囲はエルビウムをドープしたファイバの増幅器部品を含む可能性があり、それはダイオード・レーザをポンプ注入される。誘導ラマン散乱を通じて利得を発生させるためにダイオード・レーザのポンプ注入を使用する増幅器もやはり研究されてきた。エルビウム・ドープしたファイバとラマン・ポンプ注入に基づいた光増幅器は光ファイバ・リンク上で伝送される光信号の強度を高める。
【特許文献１】米国特許出願番号１０／２９３，７５４号
【発明の開示】
【発明が解決しようとする課題】
【０００４】
しばしば、通信リンク内のチャネルは突然に追加または引き落とされる可能性がある。チャネルはまた、偶発的なファイバ切断のせいで引き落とされる可能性もある。チャネルはまた、ネットワークの再編成のせいで突然に追加または引き落とされる可能性もある。伝送ファイバ範囲によって搬送されるチャネルの数が突然に変化すると、その範囲にわたって輸送される合計の信号パワーもやはり突然に変化する。もしラマン増幅器範囲が一定のパワーで投入されれば、信号パワーのこれらの突然の変化はラマン増幅器の利得の過渡変化効果に結果的につながるであろう。利得の過渡変化は増幅器から出る出力信号のパワーの変動を引き起こす。弱過ぎる出力信号は間違いなく検出することが困難である可能性がある。強過ぎる出力信号はファイバ内に非線形光学的効果を生じさせる可能性がある。
【課題を解決するための手段】
【０００５】
本発明はラマン増幅型の光伝送システム内のチャネル（群）の消失または追加に起因するパワーの過渡変化の影響を補正するための方法、装置およびシステムを含む。
【０００６】
本発明の一実施形態では、方法は増幅光伝送システム内の光信号のパワーの過渡変化の検出に応答して少なくとも１つの増幅器の利得を変化させ、それによって増幅器内で利得変化に伴う利得応答の時間遅延を補正する工程を含む。場合によっては、この方法はさらに、パワーの過渡変化の検出に応答して少なくとも１つの増幅器の利得を調節し、それにより、パワーの過渡変化に起因する信号パワーの変化を補正する工程も含む。
【０００７】
本発明の別の実施形態では、装置はプログラム命令を記憶するためのメモリと命令を実行するためのプロセッサを含む。この装置は、増幅光伝送システム内の光信号のパワーの過渡変化の検出に応答して少なくとも１つの増幅器の利得を変化させ、それによって増幅器内で利得変化に伴う利得応答の時間遅延を補正するように構成される。
【発明を実施するための最良の形態】
【０００８】
本発明の教示は添付の図面と結びつけて為される以下の詳細な説明を考慮することによって容易に理解されることが可能である。
理解を容易にするために、可能である場合には、同じ参照番号は複数の図面に共通する同じ素子を示すように使用されている。
【０００９】
本発明は好都合にも、増幅光伝送システム内のパワー過渡変化の負の効果を制御するための方法と装置を提供する。本発明の実施形態は特定の部品を有するラマン増幅型光伝送システムの背景で説明されるであろうが、しかし本発明の方法が都合のよいことに、パワー過渡変化の負の効果を制御することが望ましい様々な他の増幅型光伝送システムに導入されることが可能であることを当業者は理解するであろう。
【００１０】
図１は従来のラマン増幅型光伝送システムのハイレベル・ブロック図を描いている。図１のラマン増幅型光伝送システム１００は送信部１１０、受信部１２０、および複数のラマン増幅器範囲１３０１〜１３０Ｎ（まとめてラマン増幅器範囲１３０）を含む。ラマン増幅器範囲１３０の各々はそれぞれの増幅ファイバ範囲１４０１〜１４０Ｎ（まとめてファイバ範囲１４０、具体例を挙げると標準的な伝送ファイバ範囲）およびそれぞれのポンプ１５０１〜１５０Ｎ（まとめてポンプ１５０、具体例を挙げるとラマン・ポンプ）を有する。各々のラマン・ポンプ１５０は単一のポンプか、または多様な波長を備えて集合して働く複数のポンプのいずれであってもよい。送信部１１０は一連のラマン増幅器範囲１３０を越えて受信部１２０に情報を伝送する。ラマン・ポンプ１５０の各々から出るポンプ光は後ろ方向に伝送されてそれぞれのファイバ範囲１４０にポンプ注入する。したがってファイバ範囲１４０内の信号はラマン利得によって増幅される。図１のラマン増幅型光伝送システム１００の増幅ファイバ範囲１４０は標準的な伝送ファイバを含むように描かれているが、増幅ファイバ範囲１４０が、エルビウムをドープしたファイバ増幅器などといった他の増幅媒体を有することが可能であることを当業者は理解するであろう。
【００１１】
送信部１１０は、異なる波長で動作するチャネルを各々がサポートする複数のレーザ・ダイオードを含むことが可能である。したがって、もしこれらのレーザのうちの１つまたは複数が役目から外されるか、または新たなチャネルが送信部１１０に追加されるならば、ラマン増幅型光伝送システム１００を横切って伝送される波長の合計数は突然に変化する可能性がある。光伝送システム内のチャネルの合計数もまた、ファイバの切断といった予期しないシステム障害に起因して、または追加／引き落とし端子を使用してシステムを再編成している間にチャネルが追加または引き落とされると変化する可能性がある。
【００１２】
ラマン増幅型光伝送システム１００内のチャネルの合計数は突然に変化するがラマン・ポンプ１５０のパワーが同じであり続けるとき、ファイバ範囲１４０内のラマン利得もやはり変化するであろう。この種の突然のパワー変化は各々のラマン増幅器範囲１３０の出力部で個々の信号チャネルのパワーに受容不可能な過渡変化を引き起こす可能性がある。例えば、もし波長（チャネル）が失われる場合、入力のパワーはチャネルが引き落とされたことが理由で突然に低下する。ラマン・ポンプ１５０のパワーが同じであり続けるならば、ポンプ注入されたファイバ範囲１４０の各々に過剰の利得が存在し、ラマン増幅器範囲１３０の各々の端部でチャネル当たりの出力パワーが所望を上回って増加する。
【００１３】
反対に、新たなチャネルの追加が理由で入力のパワーが突然に増大すると、ラマン・ポンプはより一層急速に消耗し、それはポンプ注入される伝送ファイバ端部でチャネル当たりの出力パワーが所望よりも下に低下する原因となる。これらの誤差がラマン増幅器範囲からラマン増幅器範囲へと累積するので、各々のチャネルについてパワーの合計の誤差は次の式（１）で計算されることが可能であり、
【数１】
2004310119.tif 000003
ここでＥｉは各増幅範囲の誤差を表し、Ｎは増幅範囲の合計数を意味し、Ｅｔは組み合わされたすべての増幅範囲に関する合計の累積誤差である。
【００１４】
図２は、本発明の実施形態を含む図１のラマン増幅型光伝送システム１００の単一ラマン増幅器範囲１３０のハイレベル・ブロック図を描いている。図２のラマン増幅器範囲１３０は増幅ファイバ（具体例を挙げると（図１の増幅ファイバ範囲１４０に相当する）１００ｋｍ外部プラントのファイバ）２１０、伝送ファイバ２１５、ポンプ（具体例を挙げると外部プラントのポンプ・レーザ）２２０、ポンプ制御器（具体例を挙げると外部プラントのポンプ・レーザ制御器）２２５、分散補償モジュール（ＤＣＭ）２３０、ＤＣＭポンプ・レーザ２３５、３箇所のタップ２４０１、２４０２、２４０３（まとめてタップ２４０）、モニタ２５０、およびＤＣＭポンプ・レーザ制御器２６０を含む。本発明の具体例となる図２の実施形態ではタップ２４０１はラマン増幅器範囲１３０内に配置されるように描かれているが、実際ではラマン増幅器範囲の直前の端部に配置され、図２の具体的に示したラマン増幅器範囲１３０のタップ２４０３と等価である。したがって、理解を容易にするためにタップ２４０１が図２に描かれていることを理解すべきである。ラマン増幅器範囲１３０では、タップ２４０１は外部プラントのファイバ２１０に先行する伝送ファイバ上に（すなわち先行する範囲に）配置される。タップ２４０２は外部プラントのファイバ２１０の後ろでかつＤＣＭ２３０の手前に配置される。タップ２４０３はＤＣＭ２３０の後ろに配置される。
【００１５】
図３は図２の単一ラマン増幅器範囲１３０に使用するのに適したＤＣＭポンプ・レーザ制御器２６０の実施形態を描いている。図３のＤＣＭポンプ・レーザ制御器２６０はプロセッサ３１０、ならびにアルゴリズムと制御プログラムを記憶するためのメモリ３２０を含む。プロセッサ３１０は電源、クロック回路、キャッシュ・メモリなどといった従来型の補助的回路３３０、ならびにメモリ３２０に記憶されたソフトウェア・ルーチンの実行を補助する回路と連携して動作する。したがって、ここでソフトウェア・プロセスとして検討する処理工程のうちのいくつかはハードウェアの中に、例えば様々な工程を遂行するためにプロセッサ３１０と連携動作する回路として導入される可能性がある。ＤＣＭポンプ・レーザ制御器２６０もやはり入出力回路３４０を含んでおり、それはＤＣＭポンプ・レーザ制御器２６０と通信する様々な機能素子間のインターフェースを構成する。例えば図２の実施形態で、ＤＣＭポンプ・レーザ制御器２６０は信号経路Ｓ１を経由してモニタ２５０と通信し、信号経路Ｏ１を経由してＤＣＭポンプ・レーザ２３５と通信する。
【００１６】
図３のＤＣＭポンプ・レーザ制御器２６０は本発明による様々な制御機能を実行するようにプログラムされる汎用コンピュータとして描かれているが、本発明はハードウェア内に、例えば特定用途向け集積回路（ＡＳＩＣ）として導入される可能性がある。したがって、ここで述べる処理工程はソフトウェア、ファームウェア、ハードウェアあるいはそれらの組合せによって同等に実行されるものと広義に解釈されることを意図されている。
【００１７】
図２に戻って参照すると、ラマン増幅器範囲１３０に入る信号がタップ２４０１によって引き出された（すなわち先行する範囲で）。タップ２４０１に由来する信号はモニタ２５０へと伝えられ、そこでは入来する信号のパワーが計測される。その後、入来信号のパワー計測値が順方向に送られてＤＣＭポンプ・レーザ制御器２６０に記録される。その後、信号は外部プラントのファイバ２１０を通って伝播し、そこで信号は外部プラントのポンプ・レーザ２２０によって増幅される。外部プラントのファイバ２１０から出る信号はタップ２４０２によって引き出される。タップ２４０２から出る信号はモニタ２５０へと伝えられ、そこで信号のパワーが計測される。その後、信号のパワー計測値が順方向に送られてＤＣＭポンプ・レーザ制御器２６０に記録される。
【００１８】
外部プラントのファイバ２１０内で信号が受けた利得を判定するために、ＤＣＭポンプ・レーザ制御器２６０内で（先行する範囲に配置され、従来型の手段によってこの範囲に連絡する）タップ２４０１のパワー計測値がタップ２４０２のパワー計測値と比較される。判定された利得はＤＣＭポンプ・レーザ制御器２６０内に記憶された外部プラントのファイバ２１０に関する期待された増幅利得と比較され、それにより、（もしあるならば）ラマン増幅型光伝送システム１００内の（複数）チャネルの消失または追加によって引き起こされる外部プラントのファイバ２１０の利得の変化が判定される。
【００１９】
場合によっては、外部プラントのファイバ２１０の利得変化は、ＤＣＭ２３０に入る（すなわちタップ２４０２経由）信号のパワーを計測し、かつ計測した入力信号のパワーをＤＣＭポンプ・レーザ制御器２６０内に記憶されたＤＣＭ２３０に入る信号に関する期待されたパワーと比較することによって判定されることも可能である。その後、ＤＣＭポンプ・レーザ制御器２６０は外部プラントのファイバ２１０で入力信号が受けたであろう利得を見積もることが可能となる。その後、見積もられた利得はＤＣＭポンプ・レーザ制御器２６０内に記憶された外部プラントのファイバ２１０に関する期待された増幅利得と比較され、それにより、（もしあるならば）ラマン増幅型光伝送システム１００内の（複数）チャネルの消失または追加によって引き起こされる外部プラントのファイバ２１０の利得の変化が判定される。
【００２０】
外部プラントのファイバ２１０内の利得は利得の変化をチェックするために周期的に判定される。外部プラントのファイバ２１０の利得変化をチェックする時間周期がシステムに応じて決まり、システムの能力範囲内で使用者によって望まれるいかなる間隔にも設定されることが可能であることを当業者は理解するであろう。
【００２１】
その後、外部プラントのファイバ２１０から入る信号はＤＣＭ２３０を通って伝播し、そこでＤＣＭポンプ・レーザ２６０によって増幅される。ラマン増幅型光伝送システム１００内の（複数）チャネルの消失または追加によって引き起こされるＤＣＭ２３０のいかなる利得変化も、ＤＣＭ２３０に入る（すなわちタップ２４０２経由）伝播信号のパワーを計測し、かつ計測した伝播信号のパワーをＤＣＭポンプ・レーザ制御器２６０内に記憶されたＤＣＭ２３０への入力信号に関する期待されたパワーと比較することによって見積もられることが可能である。場合によっては、ＤＣＭ２３０の利得はタップ２４０２のパワー計測値を以下で述べるようなタップ２４０３のパワー計測値と比較することによって算出されることも可能である。
【００２２】
ＤＣＭ２３０を通って伝播した後、出力信号は伝送ファイバ２１５を通って伝播し、タップ２４０３によって引き出される。タップ２４０３に由来する信号はモニタ２５０へと伝えられ、そこで出力信号のパワーが計測される。その後、出力信号のパワー計測値は順方向に送られ、ＤＣＭポンプ・レーザ制御器２６０内に記録される。ＤＣＭ２３０内で信号が受けた利得を判定するためにタップ２４０２のパワー計測値がタップ２４０３のパワー計測値と比較される。判定された増幅利得はＤＣＭポンプ・レーザ制御器２６０内に記憶されたＤＣＭ２３０に関する期待された増幅利得と比較され、それにより、（もしあるならば）ラマン増幅型光伝送システム１００内の（複数）チャネルの消失または追加によって引き起こされるＤＣＭ２３０の利得の変化が算出される。さらに、タップ２４０３に由来する信号は、ＤＣＭ２３０の遅延に関する情報を要求する他のシステムの実施のために、ＤＣＭ２３０内の遅延を測定するのに使用されることも可能である。伝送ファイバ２１５は原則として、ＤＣＭ２３０から出る出力信号を次のラマン増幅器範囲の増幅ファイバ（外部プラントのファイバ）に結合させるために使用される。
【００２３】
本発明によると、ラマン増幅型光伝送システム１００内の各々のラマン増幅器範囲で望まれる結果は、その範囲に入来する入力信号のパワーがその範囲から出て行く出力信号のパワーに等しいことである。すなわち、特定のラマン増幅器範囲の利得と損失が釣り合いをとられる。望まれる結果は、タップ２４０のパワー計測値を導入して次の式（２）で描かれる。
【数２】
2004310119.tif 000004
【００２４】
図２のラマン増幅器範囲１３０内のタップ２４０の３箇所すべてのパワー計測値を導入して上記の式を２つの別々の利得成分として特徴付けると、式（３）と式（４）が次のように書かれる。
【数３】
2004310119.tif 000005
ここでｇ１ｉは外部プラントのファイバ２１０の利得または損失を表し、ｇ２ｉはＤＣＭ２３０の利得または損失を表す。したがって、ｇ１ｉとｇ２ｉの積はすべての波長について１に等しい（ｇ１ｉ×ｇ２ｉ＝１）。
【００２５】
本発明の一実施形態では、外部プラントのファイバ２１０の利得の変化の検出後に、外部プラントのポンプ・レーザ２２０のポンプ・パワーの調節が為されることで外部プラントのファイバ２１０の利得が変化させられ、それにより、ラマン増幅型光伝送システム１００内の複数チャネルの消失または追加（過渡変化事象）に起因する外部プラントのファイバ２１０の利得変化が補正される。さらに、外部プラントのファイバ２１０の利得を変化させるための外部プラントのポンプ・レーザ２２０のポンプ・パワーの調節に伴う時間遅延を補正するようにＤＣＭ２３０の利得を変化させ、かつラマン増幅型光伝送システム１００内の複数チャネルの消失または追加（過渡変化事象）に起因するＤＣＭ２３０の利得変化を補正するためにＤＣＭポンプ・レーザ２３５のポンプ・パワーの調節が為される。外部プラントのファイバ２１０の利得を変化させるための外部プラントのポンプ・レーザ２２０のパワーの調節に伴う遅延は、外部プラントのポンプ・レーザ２２０から伝わるフォトンが望ましい（変更された）利得の達成の前に外部プラントのファイバ２１０を通って伝播するのに要する時間量に起因する。
【００２６】
図４は外部プラントのポンプ・レーザ２２０のパワー調節から結果的に生じる外部プラントのファイバ２１０の利得変化に伴う時間遅延の範例となる関数をグラフで描いている。図４で、ｔ０は外部プラントのポンプ・レーザ２２０が調節された時間点を表し、ｔ１は外部プラントのファイバ２１０内で望ましい（補正された）利得が達成される時間点を表し、Δｔは外部プラントのポンプ・レーザ２２０の調節と外部プラントのファイバ２１０内で望ましい利得が達成される時の間の時間量を表す。遅延時間Δｔは増幅ファイバの実効長に応じて決まり、次の式（５）から計算されることが可能である。
【数４】
2004310119.tif 000006
ここでｎ（λｐ）は対応するラマン・ポンプ波長でのファイバの屈折率であり、ｃは真空中での光速であり、Ｌｅｆｆは増幅ファイバの実効長である。上記の式（５）は単に速度×時間＝距離の公式の並べ替えに過ぎない。
さらに、ファイバの実効長Ｌｅｆｆは次の式（６）を使用して計算されることが可能である。
【数５】
2004310119.tif 000007
上記の式（６）で、αはファイバの減衰度を表し、Ｌはファイバの実際の長さを表す。
【００２７】
図２の単一ラマン増幅器範囲１３０では、通常の通信等級のファイバ（すなわちＳＭＦ、ＴｒｕｅＷａｖｅ、ＬＥＡＦファイバ）が外部プラントのファイバ２１０として使用された。外部プラントのファイバ２１０の長さは通常では１００ｋｍであり、そのような通常のファイバに関する減衰度は約０．２１ｄＢ／ｋｍである。これらの値を上記の式（６）の減衰度と実際の長さにそれぞれ入力すると、外部プラントのファイバ２１０の実効長Ｌｅｆｆは２０ｋｍと算出される。この値を上記の式（５）の実効長Ｌｅｆｆに入力すると、外部プラントのファイバ２１０に関する遅延時間Δｔｏｐは１０−４秒もしくは１００μｓと算出される。遅延時間ΔｔｏｐはＤＣＭポンプ・レーザ制御器２６０によって計算され、記録される。
【００２８】
したがって、外部プラントのポンプ・レーザ２２０のポンプ・パワーの調節に起因する外部プラントのファイバ２１０の利得変化は時間の関数として考えられるべきである。時間の関数としての利得のこの変化（図４でｔ０からｔ１までの形）は外部プラントのファイバ２１０に付随する判定された遅延時間Δｔｏｐおよび外部プラントのファイバ２１０内の判定された（上述の）利得変化から（上述したように）算出することが可能である。発明人はこの関数（ｔ０からｔ１までの形）をｆ１（ｔ）として考える。関数ｆ１（ｔ）はＤＣＭポンプ・レーザ制御器２６０によって判定され、記録される。すなわち、外部プラントのファイバ２１０の実際の長さおよび減衰度に関する値といった外部プラントのファイバ２１０に関するパラメータはＤＣＭポンプ・レーザ制御器２６０内に記憶される。その後、ＤＣＭポンプ・レーザ制御器２６０は上記の式（５）と（６）を使用して外部プラントのファイバ２１０について遅延時間Δｔｏｐを計算する。その後、外部プラントのファイバ２１０内の利得変化の量を判定し、関数ｆ１（ｔ）を計算するためにＤＣＭポンプ・レーザ制御器２６０はタップ２４０２からの情報を待ち受ける。遅延関数ｆ１（ｔ）の値はＤＣＭポンプ・レーザ制御器２６０内に記憶される。
【００２９】
上述したように、ＤＣＭポンプ・レーザ２３５のポンプ・パワーの調節はｆ１（ｔ）を補償するためにＤＣＭ２３０の利得を変化させ、かつラマン増幅型光伝送システム１００内の（複数）チャネルの消失または追加（過渡変化事象）に起因するＤＣＭ２３０の利得変化を補正するように為される。前に開示したように、ＤＣＭ２３０の利得変化は、ＤＣＭ１３０に入る（すなわちタップ２４０２経由）伝播信号のパワーを計測し、かつ計測した伝播信号のパワーをＤＣＭポンプ・レーザ制御器２６０内に記憶されたＤＣＭ２３０への入力信号に関する期待されたパワーと比較することによって見積もられることが可能である。ラマン増幅型光伝送システム１００内の複数チャネルの消失または追加に起因するＤＣＭ２３０のこの利得変化を発明人はΔｇ２ＤＣＭとして考える。
【００３０】
したがって、ＤＣＭポンプ・レーザ制御器２６０は、ＤＣＭ２３０の利得を変化させるためのＤＣＭポンプ・レーザ２３５のパワーの調節を行うためにｆ３（ｔ）がＤＣＭポンプ・レーザ制御器２６０によって利用されるように関数ｆ３（ｔ）を計算してｆ１（ｔ）とΔｇ２ＤＣＭを補正する必要がある。しかし上記の外部プラントのファイバ２１０のケースと同様に、ＤＣＭポンプ・レーザ２３５のポンプ・パワーの調節はＤＣＭ２３０の利得を即座に所望の利得へと変化させるものではない。したがって、ＤＣＭ２３０の利得を変化させてＤＣＭ２３０内の利得変化Δｇ２ＤＣＭを補正するためのＤＣＭポンプ・レーザ２３５のパワーの調節に付随する遅延時間もやはり考慮されるべきである。
【００３１】
通常、ＤＣＭは伝送システム内で増幅ファイバよりもはるかに短いファイバ長さを有する。例えば、図２のＤＣＭ２３０は外部プラントのファイバ２１０よりもはるかに短い全体の実際の長さを有する。図２のラマン増幅器範囲１３０内で使用されるＤＣＭ２３０の長さは、このケースでは１０ｋｍであるが、しかし外部プラントのファイバ２１０の長さに伴って変わる。したがって、ラマン増幅型光伝送システム１００内の（複数）チャネルの消失または追加に起因するＤＣＭ２３０の利得変化を補償するためのＤＣＭポンプ・レーザ２３５のポンプ・パワーの変更に伴う遅延は有意に短いであろう。例えば、上記の式（６）にＤＣＭ１３０の実際の長さＬを入力すると、ＤＣＭ１３０の実効長Ｌｅｆｆは３ｋｍであると算出される。ＤＣＭ２３０の利得を変化させるためのＤＣＭポンプ・レーザ２３５のポンプ・パワーの調節に付随する遅延時間ΔｔＤＣＭを計算するために、判定された実効長Ｌｅｆｆが上記の式（５）に入力される。ＤＣＭ２３０の実効長Ｌｅｆｆについて３ｋｍを上記の式（５）に入力すると、ＤＣＭ２３０の利得を変化させるためのＤＣＭポンプ・レーザ２３５のポンプ・パワーの調節に付随する遅延時間ΔｔＤＣＭは１５μｓであると算出される。遅延時間ΔｔＤＣＭとＤＣＭ２３０内の利得変化Δｇ２ＤＣＭが判ると、ＤＣＭ２３０の利得を変化させるためのＤＣＭポンプ・レーザ２３５のポンプ・パワーの調節に付随する遅延時間を表すために遅延関数が計算される。発明人はこの関数をｆ２（ｔ）として考える。ｆ２（ｔ）の値はＤＣＭポンプ・レーザ制御器２６０内に記憶される。
【００３２】
ｆ１（ｔ）、Δｇ２ＤＣＭおよびｆ２（ｔ）はタップ２４０１（先行する範囲に由来）とタップ２４０２から得られる伝播信号の計測値に基づいてモデル化されることが可能であり、かつタップ２４０２から入る信号はＤＣＭポンプ・レーザ制御器２６０へと順方向に送られるので、ｆ１（ｔ）、Δｇ２ＤＣＭおよびｆ２（ｔ）はＤＣＭ２３０で補正が実行されることが可能となるように決定される。すなわち、タップ２４０２からの情報がＤＣＭポンプ・レーザ制御器２６０へと順方向に送られるので、ｆ１（ｔ）、Δｇ２ＤＣＭおよびｆ２（ｔ）を補正するようにＤＣＭポンプ・レーザ制御器２６０が関数ｆ３（ｔ）を決定するための時間が存在する。
【００３３】
すべての波長についてｇ１ｉとｇ２ｉの積が１に等しく（ｇ１ｉ×ｇ２ｉ＝１）なければならないことを思い出すと、関数ｆ３（ｔ）は次の式（７）を使用してＤＣＭポンプ・レーザ制御器２６０によって計算される。
【数６】
2004310119.tif 000008
ここでｇ１ｉとｇ２ｉはそれぞれ外部プラントのファイバ２１０およびＤＣＭ２３０の本来の（いかなる過渡変化よりも前の）利得であり、ｆ１（ｔ）は外部プラントのファイバ２１０の利得を変化させるための外部プラントのポンプ・レーザ２２０のパワーの調節に付随する遅延関数であり、Δｇ２ＤＣＭはラマン増幅型光伝送システム１００内の（複数）チャネルの消失または追加（過渡変化事象）に起因するＤＣＭ２３０の利得変化であり、ｆ２（ｔ）はＤＣＭ２３０の利得を変化させるためのＤＣＭポンプ・レーザ２３５のパワーの調節に付随する遅延関数であり、ｆ３（ｔ）はＤＣＭ２３０の利得を調節するためにＤＣＭポンプ・レーザ２３５のパワーを調節して関数ｆ１（ｔ）とｆ２（ｔ）を補正するため、およびラマン増幅型光伝送システム１００内の（複数）チャネルの消失または追加に起因するＤＣＭ２３０の利得変化Δｇ２ＤＣＭを補償するためにＤＣＭポンプ・レーザ制御器２６０によって計算される関数である。ｆ３（ｔ）の解は、
【数７】
2004310119.tif 000009
である。
【００３４】
関数ｆ３（ｔ）はＤＣＭ２３０の利得を変化させるためにＤＣＭポンプ・レーザ２３５のポンプ・パワーを調節して関数ｆ１（ｔ）とｆ２（ｔ）を補正するため、およびラマン増幅型光伝送システム１００内の（複数）チャネルの消失または追加に起因するＤＣＭ２３０の利得変化Δｇ２ＤＣＭを補償するためにＤＣＭポンプ・レーザ制御器２６０によって計算される。
【００３５】
図１のラマン増幅型光伝送システム１００の単一ラマン増幅器範囲１３０は単一の増幅ファイバを有するように描かれたが、しかし本発明の方法が、複数の増幅ファイバを含む複数の増幅範囲と単一範囲内の他の増幅媒体を有するラマン増幅型光伝送システムに導入されることが可能であることを当業者は理解するであろう。
【００３６】
本発明の代替実施形態では、ラマン増幅型光伝送システム１００内の（複数）チャネルの消失または追加に起因する外部プラントのファイバ２１０およびＤＣＭ２３０の利得変化はＤＣＭ２３０の利得を変化させるためにＤＣＭポンプ・レーザ２３５のポンプ・パワーだけを調節することによって補償される。
【００３７】
第１の実施形態について上述したように、ＤＣＭポンプ・レーザ２３５のポンプ・パワーの調節はＤＣＭ２３０の利得を即座に所望の利得へと変化させるものではないので、ＤＣＭポンプ・レーザ２３５のポンプ・パワーの調節に起因するＤＣＭ２３０の利得の変化もやはり時間の関数として考慮されるべきである。図２を参照すると、ＤＣＭ２３０の特性は変化しないので、ＤＣＭ２３０の利得を変化させるためのＤＣＭポンプ・レーザ２３５の調節に付随する遅延時間ΔｔＤＣＭは同じに保たれる（１５μｓ）。ここでもやはり、ＤＣＭ２３０の利得を変化させるためのＤＣＭポンプ・レーザ２３５のポンプ・パワーの調節に付随する遅延は、ＤＣＭポンプ・レーザ２３５から伝わるフォトンが望ましい（補正された）利得の達成の前にＤＣＭ２３０を通って伝播するのに要する時間量に起因する。ラマン増幅型光伝送システム１００内の（複数）チャネルの消失または追加による外部プラントのファイバ２１０およびＤＣＭ２３０の利得変化を補正するのに望ましいＤＣＭ２３０の利得変化の量が判ると、ＤＣＭ２３０の利得を変化させて外部プラントのファイバ２１０およびＤＣＭ２３０の利得変化を補正するためのＤＣＭポンプ・レーザ２３５の調節に付随する遅延時間ΔｔＤＣＭを明らかにするように遅延関数ｆ４（ｔ）が算出されることが可能となる。タップ２４０２から入る信号はＤＣＭポンプ・レーザ制御器２６０へと順方向に送られるので、ラマン増幅型光伝送システム１００内の（複数）チャネルの消失または追加に起因する外部プラントのファイバ２１０およびＤＣＭ２３０の利得変化を補正するのに必要となるＤＣＭ２３０の利得変化の量はＤＣＭ２３０によって認識される。したがって、遅延関数ｆ４（ｔ）はタップ２４０１と２４０２で得られる伝播信号の計測値に基づいてモデル化され、かつ伝播信号がＤＣＭ２３０に到達する前にＤＣＭレーザ制御器２６０によって算出されることが可能である。
【００３８】
ｆ４（ｔ）の補正に加えて、ＤＣＭ２３０はラマン増幅型光伝送システム１００内の（複数）チャネルの消失または追加に起因する外部プラントのファイバ２１０の利得変化Δｇ２ＯＰおよびＤＣＭ２３０の利得変化Δｇ２ＤＣＭもやはり補正しなければならない。したがって、遅延関数ｆ４（ｔ）を補正し、かつラマン増幅型光伝送システム１００内の複数チャネルの消失または追加に起因する外部プラントのファイバ２１０の利得変化Δｇ２ＯＰとＤＣＭ２３０の利得変化Δｇ２ＤＣＭの両方を補正するために関数ｆ５（ｔ）がＤＣＭポンプ・レーザ制御器２６０によって計算される。ｆ５（ｔ）はタップ２４０１（先行する範囲に由来）とタップ２４０２から得られる伝播信号の計測値に基づいてモデル化されることが可能であり、かつタップ２４０２から入る信号はＤＣＭポンプ・レーザ制御器２６０へと順方向に送られるので、補正関数ｆ５（ｔ）は補正がＤＣＭ２３０で実行されることが可能となるように決定される。すべての波長についてｇ１ｉとｇ２ｉの積が１に等しく（ｇ１ｉ×ｇ２ｉ＝１）なければならないことを思い出すと、関数ｆ５（ｔ）はＤＣＭポンプ・レーザ制御器２６０によって次のように決定される。
【数８】
2004310119.tif 000010
ここでｇ１ｉとｇ２ｉはそれぞれ外部プラントのファイバ２１０およびＤＣＭ２３０の本来の利得であり、Δｇ２ＯＰとΔｇ２ＤＣＭはそれぞれ、ラマン増幅型光伝送システム１００内の（複数）チャネルの消失または追加（過渡変化事象）に起因する外部プラントのファイバ２１０およびＤＣＭ２３０の利得変化であり、ｆ４（ｔ）はＤＣＭ２３０の利得を変化させるためのＤＣＭポンプ・レーザ２３５のパワーの調節に付随する遅延関数であり、ｆ５（ｔ）はＤＣＭ２３０の利得を変化させることによってラマン増幅型光伝送システム１００内の（複数）チャネルの消失または追加に起因する外部プラントのファイバ２１０およびＤＣＭ２３０の利得変化を補正するようにＤＣＭポンプ・レーザ２３５のパワーを調節するためにＤＣＭポンプ・レーザ制御器２６０によって算出され、かつ利用され、その一方でＤＣＭ２３０の利得を変化させるためのＤＣＭポンプ・レーザ２３５のパワーの調節に付随する遅延関数ｆ４（ｔ）を明らかにする関数である。ｆ５（ｔ）の解は、
【数９】
2004310119.tif 000011
である。
【００３９】
繰り返すが、ｆ５（ｔ）はＤＣＭ２３０の利得を変化させることによってラマン増幅型光伝送システム１００内の（複数）チャネルの消失または追加によって引き起こされる外部プラントのファイバ２１０およびＤＣＭ２３０の利得変化を補正するようにＤＣＭポンプ・レーザ２３５のポンプ・パワーを調節するためにＤＣＭポンプ・レーザ制御器２６０によって算出され、かつ利用され、その一方でＤＣＭ２３０の利得を変化させるためのＤＣＭポンプ・レーザ２３５のパワーの調節に付随する遅延関数ｆ４（ｔ）を明らかにする。
【００４０】
図５は本発明の方法５００の実施形態のフロー図を描いている。方法５００はラマン増幅型光伝送システムの増幅範囲の増幅器内で利得変化が検出される工程５０２から入る。例えば、増幅範囲の伝播信号のパワーは外部プラントのファイバの後ろでモニタによって計測される。伝播信号の計測された信号パワーの情報はＤＣＭポンプ・レーザ制御器へと連絡される。ＤＣＭポンプ・レーザ制御器は外部プラントのファイバ内の利得を計算し、算出された利得を外部プラントのファイバについて記憶した期待される値と比較することで外部プラントのファイバ内の利得変化を判定する。その後、方法５００は工程５０４へと進む。
【００４１】
工程５０４で、方法５００はＤＣＭ内の利得変化を計算する。例えば、ＤＣＭ２３０の利得変化はＤＣＭ１３０に入る（すなわちタップ２４０２経由）伝播信号のパワーを計測し、計測した伝播信号のパワーをＤＣＭポンプ・レーザ制御器２６０内に記憶されたＤＣＭ２３０への入力信号に関する期待されるパワーと比較することによって見積もられることが可能である。その後、方法５００は工程５０６へと進む。
【００４２】
工程５０６で、工程５０２および工程５０４の検出された利得変化を補償するために、方法５００はＤＣＭポンプ・レーザのポンプ・パワーを制御するための関数を計算する。例えば、式１〜１０に結び付けて説明したように、ＤＣＭポンプ・レーザ制御器はＤＣＭポンプ・レーザに関して適切なポンプ・パワーを算出するために、計測された信号パワー情報を使用する可能性がある。ＤＣＭポンプ・レーザ制御器はＤＣＭポンプ・レーザに関するポンプ・パワーを算出するために、フィードフォワード制御技術、フィードバック制御技術、混成制御技術、またはいかなる他の適切な制御技術も使用する可能性がある。
【００４３】
工程５０８で、方法５００は工程５０６で算出した関数に従ってＤＣＭポンプを制御する。例えば、ＤＣＭポンプ・レーザ制御器がＤＣＭポンプ・レーザのパワーを工程５０６で算出した値に調節する。その後、方法５００は終了する。
【００４４】
図６は本発明の代替実施形態を含む増幅器範囲のハイレベル・ブロック図を描いている。図６の増幅器範囲６００はタップ６０５、第１の段６１０と第２の段６１１を有する二段の増幅器（具体例を挙げるとエルビウムをドープされた二段のファイバ増幅器（ＥＤＦＡ））、モニタ６１５、第１の段のポンプ６２０、第１の段のポンプ制御器６２５、分散補償モジュール（ＤＣＭ）６３０、遅延装置（具体例を挙げると遅延回線）６３５、第２の段のポンプ６４５、および第２の段のポンプ制御器６５０を含む。図６の増幅器範囲６００ではタップ６０５が増幅器範囲６００の先頭に配置されるように描かれているが、タップ６０５が本発明による直前の増幅器範囲の後端部に配置されることは可能である。
【００４５】
増幅器範囲６００に入る信号はタップ６０５によって引き出される。タップ６０５に由来する信号はモニタ６１５へと連絡され、そこで信号のパワーが計測される。その後、モニタ６１５によって計測された信号のパワー計測値は第１の段のポンプ制御器６２５および第２の段のポンプ制御器６５０へと順方向に送られ、記録される。第１の段のポンプ制御器６２５および第２の段のポンプ制御器６５０はそこに過渡変化事象が生じたかどうかを判定する。すなわち、増幅器範囲６００に入る信号に（複数）チャネルの消失または追加があったかどうかを判定するために、モニタ６１５によって計測された信号のパワーがポンプ制御器６２５、６５０に記憶された増幅器範囲６００への入力信号に関する期待されるパワーと比較される。増幅器範囲６００に入る信号に（複数）チャネルの消失または追加があったかどうかを判定することの代替法として、信号がＥＤＦＡの第１の段６１０で受けたであろう利得を見積もるために、計測された増幅器範囲６００への入力信号のパワーがポンプ制御器６２５、６５０によって使用される。その後、見積もられた利得はポンプ制御器６２５、６５０内に記憶された第１の段６１０に関する期待される利得と比較され、それにより、（もしあるならば）増幅器範囲６００に入る信号中の（複数）チャネルの消失または追加といった過渡変化事象によって引き起こされる第１の段６１０の利得の変化が判定される。図６の本発明の実施形態では過渡変化事象が生じたかどうかをポンプ制御器６２５、６５０の両方が判定するように描かれているが、本発明の代替実施形態ではポンプ制御器６２５または６５０のいずれか一方が、過渡変化事象が生じたかどうかを判定し、判定するポンプ制御器はその結果を他方のポンプ制御器と分かち合う。
【００４６】
過渡変化事象が生じたことが第１の段のポンプ制御器６２５によって判定される場合、第１の段のポンプ制御器６２５は、（複数）チャネルの消失または追加といった過渡変化事象によって引き起こされる第１の段６１０の利得変化を補償するように第１の段６１０の利得を変化させるために第１の段のポンプ６２０を調節する制御信号を発生する。
【００４７】
しかしながら上述の実施形態のように、例えば（複数）チャネルの消失または追加によって引き起こされる利得変化を補償するためにＥＤＦＡの第１の段６１０の利得を変更することに付随する遅延時間が存在する。ＥＤＦＡは比較的短いが、ＥＤＦＡの物理学は比較的長い応答時間を生じさせる可能性がある。チャネルの数に大幅な引き落としがあるケースで、チャネルが消失するときにＥＤＦＡが高度に反転した状態にある可能性がある。ＥＤＦＡポンプはフォトンをＥＤＦＡ内に注入するだけであるので反転した状態はゆっくりと減衰し、それにより、出力は比較的長い時間（約５００マイクロ秒）について高い状態を保つ。
【００４８】
図７は第１の段のポンプ６２０のパワーの調節から結果的に生じる第１の段６１０の利得変化に伴う時間遅延の範例となる関数をグラフで描いている。図７で、τＲは第１の段６１０の励起状態の持続時間を表す。ＰＭは利得調節の直後の第１の段６１０の伝播光学信号のパワーを表す。
【００４９】
図６の増幅器範囲６００に戻って参照すると、第１の段６１０に由来する光学信号はＤＣＭ６３０を通って伝播される。ＤＣＭ６３０は、第２の段６１１に到着する前に第１の段６１０に由来する信号を遅延させるために使用される。すなわち、ＤＣＭ６３０の遅延を使用することによって、第２の段のポンプ６４５のパワーは信号が第２の段６１１に到達する前に調節されることが可能となる。
【００５０】
さらに特定すると、増幅器範囲６００に入来し、タップ６０５によって引き出されて第２の段のポンプ制御器６５０へと順方向に送られる、光学信号の部分は遅延回線６３５を通って伝播される。過渡変化事象が生じたと判定すると、第２の段のポンプ制御器６５０は第２の段６１１の利得を調節するために第２の段のポンプ６４５を調節する制御信号を発生し、それにより、（複数）チャネルの消失または追加といった過渡変化事象によって引き起こされる第１の段６１０の利得変化を補償するように調節される第１の段６１０の利得に付随する第１のＥＤＦＡ６１０の利得応答の時間遅延を補償する。ＤＣＭ６３０の遅延と遅延回線６３５の組合せは、信号が第２の段６１１に到達する前に第２の段のポンプ６４５のパワーが調節されることが可能となるように構成される。遅延回線６３５の遅延は、通常、ＤＣＭ６３０の遅延よりも少ないことを必要とする。
【００５１】
例えば、チャネルの数に大幅な引き落としがあるケースで、チャネルが消失するときにＥＤＦＡが高度に反転した状態にある可能性がある。したがって、第２の段６１１の利得は信号が第２の段６１１に到達する前に第２の段のポンプ６４５の調節によって調節されることが可能であり、それにより、高いレベルの信号がその反転状態を急速に減衰させる。正味の効果は、各々の残っているチャネルが、そのパワーが最初に小さい落ち込みを有し、続いて大きなピークではなく小さなピークを有することである。小さなピークと落ち込みを有するということは図７に描いたような大きなピークよりも少ない誤りの原因となる。
【００５２】
図８は、（複数）チャネルの消失または追加によって引き起こされる第１の段６１０の利得変化を補償するように調節される第１の段６１０の利得から結果的に生じる第１の段６１０の利得応答の時間遅延を補償するために第２の段６１１の利得が調節された後の第２の段６１１の範例となる出力をグラフで描いている。図８は第２の段６１１から出る光学信号出力のパワーを時間の関数として描いている。図８に描かれ、前に述べたように、チャネルの引き落としのケースでは残っている各々のチャネルは、そのパワーが最初に小さい落ち込みを有し、続いて大きなピークではなく小さなピークを有する。第２の段６１１の出力信号の最大パワーは（図７に描かれた）第１の段６１０の出力のそれよりも低い（より小さいピークを有する）。小さなピークと落ち込みを有する第２の段６１１の出力は第１の段６１０の出力の大きなピークよりも少ない誤りの原因となる。
【００５３】
図６の増幅器範囲６００では、理解を容易にするために増幅器は二段の増幅器を含むように描かれているが、本発明の代替実施形態では図６の二段ＥＤＦＡが単一の増幅器で置き換えられることが可能である。そのような実施形態では、タップ６０５によって引き出された信号は単一のポンプ制御器へと順方向に送られる。単一のポンプ制御器は、（複数）チャネルの消失または追加といった過渡変化事象に起因する増幅器の利得変化を補正するように増幅器のポンプを調節する制御信号を発生する。単一のポンプ制御器はまた、増幅器のポンプを調節する制御信号を発生する時、過渡変化事象を補正するための増幅器の利得の変更に付随する利得応答の時間遅延も考慮に入れる。上述したように、タップ６０５に由来する信号がポンプ制御器へと順方向に送られるので、ポンプ制御器は増幅器内の過渡変化事象に起因する増幅器の利得の時間遅延と変化をそれ自体で調節することが可能となる。
【００５４】
特定の部品を含む本発明の様々な実施形態が上記で提示されているが、本発明の概念が、増幅光伝送システム内でパワーの過渡変化の負の効果を制御することを少なくとも部分的に指向していることは理解されるはずであり、したがって本発明の実施形態は上記で具体的に例示した部品を含む実施形態に限定されるべきではない。
【００５５】
例えば、本発明の範囲内で、過渡変化事象の発生を示す信号を制御器に順方向に送ることによって、例えば過渡変化事象の負の効果を補正するための増幅器の利得の変更に付随する増幅器の利得応答の時間遅延が補償される可能性がある。その後、制御器は判定を行い、光学信号が増幅器に到達する前に増幅器の利得を調節して利得応答の時間遅延を補償する。
【００５６】
上記で例示したように、本発明の一実施形態では、増幅器の応答の時間遅延は上記で教示したように時間遅延に直面する同じ増幅器内で補正される。あるいは、過渡変化事象に起因する利得変化もやはり同じ増幅器内で補正される。
【００５７】
本発明の別の実施形態では、増幅器の応答の時間遅延は上記で教示したように次に続く増幅器内で補正される。この次段の増幅器もまた、もしあるならばそれ自体の時間遅延、および（複数）チャネルの消失または追加といった過渡変化事象に起因してそれが直面するいかなる利得変化も補正する。
【００５８】
本発明の代替実施形態では、増幅器の応答の時間遅延は上記で教示したように次に続く増幅器内で補正される。この次段の増幅器もまた、過渡変化事象に起因する第１の増幅器の利得変化、もしあるならばそれ自体の時間遅延、および（複数）チャネルの消失または追加といった過渡変化事象に起因してそれが直面するいかなる利得変化も補正する。
【００５９】
以上で開示したように、もしあるならば補正する第２の増幅器は、時間遅延に直面する第１の増幅器と同様の増幅器であることが可能であり、あるいは全く異なるタイプの増幅器であることも可能である。本発明の概念は、増幅器範囲の利得が望ましい利得レベル（すなわちチャネル当たり一定の利得レベル）に保たれることを確実化することを、少なくとも部分的に指向している。すなわち、本発明は増幅器範囲の中に残っているチャネルが直面する利得がシステムの中で（複数）チャネルの消失または追加といった過渡変化事象によって影響されないことを確実化することを、少なくとも部分的に指向している。
【００６０】
以上は本発明の様々な実施形態を指向しているが、それらの基本的な範囲から逸脱することなく本発明のその他およびさらなる実施形態が考案される可能性がある。したがって、本発明の適切な範囲は添付の特許請求項に従って判定されるべきである。
【図面の簡単な説明】
【００６１】
【図１】従来のラマン増幅型光伝送システムを示すハイレベル・ブロック図である。
【図２】本発明の実施形態を含む図１のラマン増幅型光伝送システムの単一ラマン増幅器範囲を示すハイレベル・ブロック図である。
【図３】図２の単一ラマン増幅器範囲に使用するのに適したＤＣＭポンプ・レーザ制御器の実施形態を示す図である。
【図４】ラマン・ポンプ・レーザのパワー調節から結果的に生じる増幅ファイバの利得変化に伴う遅延の範例となる関数を示すグラフである。
【図５】本発明の方法の一実施形態を示すフロー図である。
【図６】本発明の代替実施形態を含む増幅器範囲を示すハイレベル・ブロック図である。
【図７】第１のＥＤＦＡポンプのパワー調節から結果的に生じる第１のＥＤＦＡの利得変化に伴う時間遅延の範例となる関数を示すグラフである。
【図８】図６の増幅器範囲の第２のＥＤＦＡの範例となる出力を示すグラフである。
【図１】
2004310119.tif 000012
【図２】
2004310119.tif 000013
【図３】
2004310119.tif 000014
【図４】
2004310119.tif 000015
【図５】
2004310119.tif 000016
【図６】
2004310119.tif 000017
【図７】
2004310119.tif 000018
【図８】
2004310119.tif 000019